(57)【特許請求の範囲】
【請求項１】
上側ドアパネルと下側ドアパネルとによって構成されてベルトライン近傍で前記上側ドアパネルの下端部が前記下側ドアパネルの上端部に設けられた被挿入体の空間内に差し込まれ組み付けられてなるドア構造のウェザースリップにおいて、前記上側ドアパネルの周縁に下向きに開口する略コ字状で、かつ前記下端部の縁部を除いて取付けられドア閉時に車体開口部周縁に弾接する上側ドアウェザーストリップと、前記下側ドアパネルの周縁に上向きに開口する略コ字状で、かつ前記上端部の縁部を除いて取付けられ前記ドア閉時に車体開口部周縁に弾接する下側ドアウェザーストリップとを有して、前記上側ドアパネルを前記下側ドアパネルに差し込んで組み付けする時には、前記上側ドアウェザーストリップと前記下側ドアウェザーストリップとのドア前側端面を其々突き合わせるとともに、前記上側ドアウェザーストリップと前記下側ドアウェザーストリップとのドア後側端面を其々突き合わせることを特徴とするドアウェザーストリップ。
【請求項２】
前記ドア前側端面の其々と前記ドア後側端面の其々とは、ウェザーストリップの中心軸に対して傾斜面をなすよう各々形成されていることを特徴とする請求項１に記載のドアウェザーストリップ。
【請求項３】
前記ドア前側端面の其々と前記ドア後側端面の其々とは、接合部材を介して各々突き合わせることを特徴とする請求項１又は２に記載のドアウェザーストリップ。
【発明の詳細な説明】
【０００１】
【発明の属する技術分野】
本発明は、ドアパネルと車体との隙間をシールするドアウェザーストリップに関する。
【０００２】
【従来の技術】
図６及び図７に示すように、ドア構造が、上側ドアパネル１と下側ドアパネル２に分かれ、ベルトライン近傍で上側ドアパネル１と下側ドアパネル２とが組み付けられるものが考えられている。
このようなドア構造によれば、上側ドアパネル１と下側ドアパネル２とをそれぞれモジュール化することができ、省空間化，大量生産が図れるという利点がある。
【０００３】
【発明が解決しようとする課題】
このようなドア構造の上側ドアパネル１と下側ドアパネル２との周縁にドアウェザーストリップ１０を図７に示すように連続して取付ける場合には、上側ドアパネル１又は下側ドアパネル２のいずれか一方に一連のドアウェザーストリップ１０を取付けた状態（ここでは、図６（ａ）に上側ドアパネル１に取付けた状態を示す）で上側ドアパネル１と下側ドアパネル２とを組み付け、その後、垂れ下がったドアウェザーストリップ１０を他方に取付けるようにして行われる。
したがって、組み付け時に垂れ下がったドアウェザーストリップ１０が邪魔になり作業が煩わしいという問題がある。
【０００４】
そこで本発明の目的は、上側ドアパネルと下側ドアパネルとが組み付けられてなるドア構造のその組み付けを特に困難なものにすることなく、しかも十分なシール機能が得られるドアウェザーストリップを提供するにある。
【０００５】
【課題を解決するための手段】
上記の目的を達成するために、本発明の請求項１に記載のドアウェザーストリップは、上側ドアパネル（１）と下側ドアパネル（２）とによって構成されてベルトライン近傍で上側ドアパネル（１）の下端部が下側ドアパネル（２）の上端部に設けられた被挿入体（５）の空間内に差し込まれ組み付けられてなるドア構造のウェザーストリップにおいて、上側ドアパネル（１）の周縁に下向きに開口する略コ字状で、かつ下端部の縁部を除いて取付けられドア閉時に車体開口部周縁に弾接する上側ドアウェザーストリップ（１１）と、下側ドアパネル（２）の周縁に上向きに開口する略コ字状で、かつ上端部の縁部を除いて取付けられドア閉時に車体開口部周縁に弾接する下側ドアウェザーストリップ（１２）とを有して、上側ドアパネル（１）を下側ドアパネル（２）に差し込んで組み付けする時には、上側ドアウェザーストリップ（１１）と下側ドアウェザーストリップ（１２）とのドア前側端面（１１ａ，１２ａ）を其々突き合わせるとともに、上側ドアウェザーストリップ（１１）と下側ドアウェザーストリップ（１２）とのドア後側端面（１１ｂ，１２ｂ）を其々突き合わせることを特徴とする。
【０００６】
また、請求項２に記載のドアウェザーストリップは、前記ドア前側端面（１１ａ，１２ａ）の其々と前記ドア後側端面（１１ｂ，１２ｂ）の其々とは、ウェザーストリップ（１１，１２）の中心軸に対して傾斜面をなすよう各々形成されていることを特徴とする。
【０００７】
また、請求項３に記載のドアウェザーストリップは、前記ドア前側端面（１１ａ，１２ａ）の其々と前記ドア後側端面（１１ｂ，１２ｂ）の其々とは、接合部材（１５）を介して各々突き合わせることを特徴とする。
【０００８】
なお、上記括弧内の記号は図面及び後述する発明の実施の形態に記載された記号に対応するものである。
【０００９】
請求項１に記載の発明によれば、上側ドアパネルと下側ドアパネルにそれぞれ上側ドアウェザーストリップと下側ドアウェザーストリップが取付けられ、ドア組み付け時に上側ドアウェザーストリップと下側ドアウェザーストリップとのドア前側端面を其々突き合わせるとともに、上側ドアウェザーストリップと下側ドアウェザーストリップとのドア後側端面を其々突き合わせるようにされているので、２分割されたドアパネルと同様にドアウェザーストリップまでもモジュール化することができる。したがって、省空間化，大量生産が図れるのに加え、ドア組み付け時には上側，下側ドアウェザーストリップが既に上側，下側ドアパネルに取付けられているので、ドアウェザーストリップの垂れ下がりなどはなく、円滑な組付作業が行える。
【００１０】
また請求項２に記載の発明によれば、ドア前側端面の其々と前記ドア後側端面の其々とは、ウェザーストリップの中心軸に対して傾斜面をなすよう各々形成されるので、突き合わせ面を傾斜させない場合と比較して組み付け時の位置ずれが防止される。
【００１１】
さらに請求項３に記載の発明によれば、ドア前側端面の其々と前記ドア後側端面の其々とは、粘着テープなどの接合部材を介して各々突き合わせられるので、組み付け時の位置ずれ防止が強化されるのに加え、経時的にシール性が劣化することが防止される。
【００１２】
【発明の実施の形態】
本発明の実施の形態について図面を参照して説明する。なお、従来例と同一の部分には同一符号を付す。図１は本発明の実施形態に係る上側ドアウェザーストリップが取付けられる上側ドアパネル（ａ）と、下側ドアウェザーストリップが取付けられる下側ドアパネル（ｂ）を示す側面図，図２はそれらが組み付けられたドアを示す側面図，図３は上側ドアウェザーストリップの要部を示す斜視図，図４は下側ドアウェザーストリップの要部を示す斜視図，および図５は上側ドアウェザーストリップと下側ドアウェザーストリップの端部が其々突き合わされた状態を示す斜視図をそれぞれ示す。
【００１３】
本発明の実施形態に係るドアウェザーストリップは、上側ドアウェザーストリップ１１と下側ドアウェザーストリップ１２とによって構成され、図１乃至図３に示すように上側ドアパネル１と下側ドアパネル２とが組み合わされてなるドア構造のウェザーストリップであり、上側ドアパネル１と下側ドアパネル２の周縁にそれぞれ取付けられ、ドア閉時には車体開口部周縁（図示しない）に弾接して車内外をシールするものである。
上側ドアウェザーストリップ１１は、上側ドアパネル１の周縁に下端部の縁部を除いて取付けられる下向きに開口する略コ字状であり、下側ドアウェザーストリップ１２は、下側ドアパネル１の周縁に上端部の縁部を除いて取付けられる上向きに開口する略コ字状である。
【００１４】
ドア構造は、ベルトライン近傍で上側ドアパネル１の下端部が、下側ドアパネル２の上端部に設けられた被挿入体５の断面略コ字状の開口部から差し込まれ、そして組み付けられるようになっている。被挿入体５は下側ドアパネル２の下端部が差し込まれる空間（中空部又は略コ字状溝）を有していて、空間内に水が進入した場合には、水は空間内から車内側に流れでることなく、車外側に導かれるようになっている。
【００１５】
そして、ドアウェザーストリップ１１が予め取付けられた上側ドアパネル１とドアウェザーストリップ１２が予め取付けられた下側ドアパネル２とを組み付けする時には、上側ドアウェザーストリップ１１と下側ドアウェザーストリップ１２とのドア前側端面１１ａ，１２ａを其々突き合わせ可能とし、および上側ドアウェザーストリップ１１と下側ドアウェザーストリップ１２のドア後側端面１１ｂ，１２ｂを其々突き合わせ可能なように上側，下側ドアウェザーストリップ１１，１２は位置決めされている。
【００１６】
各ドアウェザーストリップ１１，１２の端面１１ａ，１１ｂ，１２ａ，１２ｂは、各ドアウェザーストリップ１１，１２が延びる方向に垂直にカットされたものでも可能であるが、本実施形態例では、図３および図４に示すように、ドア前側端面１１ａ，１２ａの其々とドア後側端面１１ｂ，１２ｂの其々とを、ウェザーストリップ１１，１２の中心軸に対して傾斜面をなすよう各々形成して組み付け時の位置ずれ防止を図っている。なお、傾斜された一方の面に凸部を形成し、他方の面にその凸部に嵌合する凹部を形成してもよく、また特に傾斜面を設けることなく一方の面に凸部を形成し、他方の面にその凸部に嵌合する凹部を形成するなどして、突き合わされる各端面を嵌合するようにしてもよい。
【００１７】
さらにまた、上側ドアウェザーストリップ１１と下側ドアウェザーストリップ１２のドア前側端面１１ａ，１２ａの其々とドア後側端面１１ｂ，１２ｂの其々とは、粘着テープ１５などの接合部材を介して各々突き合わせられる。これにより、組み付け時の位置ずれ防止が強化されるのに加え、経時的にシール性が劣化することが防止される。粘着テープ１５にかえて、あるいはこれに併用してファスナーや接着剤を使用することもできる。
【００１８】
【発明の効果】
以上のとおり請求項１に記載の発明のドアウェザーストリップによれば、２分割されたドアパネルと同様にドアウェザーストリップまでもモジュール化することができるので、省空間化，大量生産が図れる。また、ドア組み付け時にドアウェザーストリップの垂れ下がりの発生などにより、組付作業が特に邪魔されることはない。
【００１９】
また請求項２に記載の発明によれば、ドア前側端面の其々と前記ドア後側端面の其々とは、ウェザーストリップの中心軸に対して傾斜面をなすよう各々形成されるので、突き合わせ面を傾斜させない場合と比較して組み付け時の位置ずれが防止される。
【００２０】
さらに請求項３に記載の発明によれば、ドア前側端面の其々と前記ドア後側端面の其々とは、粘着テープなどの接合部材を介して各々突き合わせられるので、組み付け時の位置ずれ防止が強化されるのに加え、経時的にシール性が劣化することが防止される。
【図面の簡単な説明】
【図１】本発明の実施形態に係る上側ドアウェザーストリップが取付けられる上側ドアパネル（ａ）と、下側ドアウェザーストリップが取付けられる下側ドアパネル（ｂ）を示す側面図である。
【図２】図１（ａ）に示す上側ドアパネルと図１（ｂ）に示す下側ドアパネルが組み付けられてなるドアを示す側面図である。
【図３】本発明の実施形態に係るドアウェザーストリップを構成する上側ドアウェザーストリップの要部を示す斜視図である。
【図４】本発明の実施形態に係るドアウェザーストリップを構成する下側ドアウェザーストリップの要部を示す斜視図である。
【図５】図３に示す上側ドアウェザーストリップと図４に示す下側ドアウェザーストリップの端部が其々突き合わされた状態を示す斜視図である。
【図６】ドアウェザーストリップが取付けられる上側ドアパネル（ａ）と、下側ドアパネル（ｂ）を示す側面図である。
【図７】図６（ａ）に示す上側ドアパネルと図６（ｂ）に示す下側ドアパネルが組み付けられてなるドアを示す側面図である。
【符号の説明】
１      上側ドアパネル
２      下側ドアパネル
５      被挿入体
１０      ドアウェザーストリップ
１１      上側ドアウェザーストリップ
１１ａ，１１ｂ      端面
１２      下側ドアウェザーストリップ
１２ａ，１２ｂ      端面
１５      粘着テープ
【図１】
0003704005.tif 000002
【図２】
0003704005.tif 000003
【図３】
0003704005.tif 000004
【図４】
0003704005.tif 000005
【図５】
0003704005.tif 000006
【図６】
0003704005.tif 000007
【図７】
0003704005.tif 000008